(57)【要約】【課題】装置を構成する部品のファイルを容易に見つけることが可能な出力システム、出力方法及び出力プログラムを提供する。【解決手段】出力システムが、装置を構成する部品の図のデータと、このデータのファイル名のデータとを記憶部５０８から取得するデータ取得部５０１と、データ取得部５０１が取得した部品の図のデータとファイル名のデータとにより、部品の図とファイル名とを画面に表示する表示部５０３と、表示された図とファイル名とを、画像データとして取り込むキャプチャ部５０４と、取り込まれた画像データに基づいて、部品の図とファイル名とからなる、装置を構成する部品の一覧表を作成する一覧表作成部５０６と、一覧表作成部５０６により作成された一覧表を出力する出力部５０７とを備える。【選択図】図１
2007157012.tif 000002
【特許請求の範囲】
【請求項１】
装置を構成する部品の図と該部品のデータのファイル名とからなる、装置を構成する部品の一覧表を作成する一覧表作成手段と、
前記一覧表作成手段により作成された一覧表を出力する出力手段とを備える出力システム。
【請求項２】
装置を構成する部品の図のデータと、該データのファイル名のデータとを記憶手段から取得する取得手段と、
前記取得手段が取得した部品の図のデータとファイル名のデータとにより、該部品の図とファイル名とを画面に表示する表示手段と、
前記表示された図とファイル名とを、画像データとして取り込む取り込み手段と、
前記取り込まれた画像データに基づいて、部品の図とファイル名とからなる、装置を構成する部品の一覧表を作成する一覧表作成手段と、
前記一覧表作成手段により作成された一覧表を出力する出力手段とを備える出力システム。
【請求項３】
前記出力手段は、
前記一覧表を画面に表示することにより出力する請求項２記載の出力システム。
【請求項４】
前記出力手段は、
前記一覧表を紙に印刷することにより出力する請求項２記載の出力システム。
【請求項５】
装置を構成する部品の図と該部品のデータのファイル名とからなる、装置を構成する部品の一覧表を作成する一覧表作成工程と、
前記一覧表作成工程により作成された一覧表を出力する出力工程とを備える出力方法。
【請求項６】
装置を構成する部品の図のデータと、該データのファイル名のデータとを記憶手段から取得する取得工程と、
前記取得工程において取得した部品の図のデータとファイル名のデータとにより、該部品の図とファイル名とを画面に表示する表示工程と、
前記表示された図とファイル名とを、画像データとして取り込む取り込み工程と、
前記取り込まれた画像データに基づいて、部品の図とファイル名とからなる、装置を構成する部品の一覧表を作成する一覧表作成工程と、
前記一覧表作成工程において作成された一覧表を出力する出力工程とを備える出力方法。
【請求項７】
前記出力工程は、
前記一覧表を画面に表示することにより出力する請求項６記載の出力方法。
【請求項８】
前記出力工程は、
前記一覧表を紙に印刷することにより出力する請求項６記載の出力方法。
【請求項９】
コンピュータを、
装置を構成する部品の図と該部品のデータのファイル名とからなる、装置を構成する部品の一覧表を作成する一覧表作成手段、及び、
前記一覧表作成手段により作成された一覧表を出力する出力手段として機能させる出力プログラム。
【請求項１０】
コンピュータを、
装置を構成する部品の図のデータと、該データのファイル名のデータとを記憶手段から取得する取得手段、
前記取得手段が取得した部品の図のデータとファイル名のデータとにより、該部品の図とファイル名とを画面に表示する表示手段、
前記表示された図とファイル名とを、画像データとして取り込む取り込み手段、
前記取り込まれた画像データに基づいて、部品の図とファイル名とからなる、装置を構成する部品の一覧表を作成する一覧表作成手段、及び、
前記一覧表作成手段により作成された一覧表を出力する出力手段として機能させる出力プログラム。
【請求項１１】
前記出力手段は、
前記一覧表を画面に表示することにより出力する請求項１０記載の出力プログラム。
【請求項１２】
前記出力手段は、
前記一覧表を紙に印刷することにより出力する請求項１０記載の出力プログラム。
【発明の詳細な説明】
【技術分野】
【０００１】
本発明は、Ｃｏｍｐｕｔｅｒ−Ａｉｄｅｄ  Ｄｅｓｉｇｎ（以下、単にＣＡＤと記す）により作成された図面を表示する出力システム、出力方法及び出力プログラムに関する。
【背景技術】
【０００２】
従来、ＣＡＤを用いて装置などの図面の作成が行われている。このようなＣＡＤによる図面の作成では、装置を構成する部品ごとに図面データを作成し、この部品ごとの図面データを個別のファイルとしてメモリに記憶している。
【０００３】
また、従来のＣＡＤを用いた図面の作成では、部品毎に作成された図面を１つにまとめて、例えば形状の調整を行うトリムなどの演算を実行し、装置の最終形状の図面としている。ここで、トリムとは、ある図を境界として必要の無い部分を切り取る処理である。
【特許文献１】特開２００５−２０２７７１号公報
【特許文献２】特開２００５−１９６４９５号公報
【特許文献３】特開平７−３０６８８８号公報
【発明の開示】
【発明が解決しようとする課題】
【０００４】
従来のＣＡＤにより作成された図面は、当該図面の作成過程の最終形状の図面のみがファイル名と共に画面に表示されている。そのため、装置を構成する部品の形状は認識しているもののその部品のＣＡＤデータのファイル名を認識していない利用者がこの最終形状を構成する各部品のファイルにアクセスしようとする場合、各部品のファイルを開き、各部品の図を画面に表示させて確認しなければならなかった。すなわち、従来の技術では、装置を構成する各部品の図の画像とファイル名とが一覧表として表示されていなかったため、利用者は、各部品のファイルを見つけることが困難であったという問題点を有している。
【０００５】
本発明は、上記事情に鑑みなされたもので、装置を構成する部品のファイルを容易に見つけることが可能な出力システム、出力方法及び出力プログラムを提供することを目的とする。
【課題を解決するための手段】
【０００６】
上記課題を解決するため、本発明の出力システムは、装置を構成する部品の図と該部品のデータのファイル名とからなる、装置を構成する部品の一覧表を作成する一覧表作成手段と、前記一覧表作成手段により作成された一覧表を出力する出力手段とを備える。
【０００７】
また、本発明の出力システムは、装置を構成する部品の図のデータと、該データのファイル名のデータとを記憶手段から取得する取得手段と、前記取得手段が取得した部品の図のデータとファイル名のデータとにより、該部品の図とファイル名とを画面に表示する表示手段と、前記表示された図とファイル名とを、画像データとして取り込む取り込み手段と、前記取り込まれた画像データに基づいて、部品の図とファイル名とからなる、装置を構成する部品の一覧表を作成する一覧表作成手段と、前記一覧表作成手段により作成された一覧表を出力する出力手段とを備える。
【０００８】
また、本発明の出力システムは、前記出力手段は、前記一覧表を画面に表示することにより出力する。
【０００９】
また、本発明の出力システムは、前記出力手段は、前記一覧表を紙に印刷することにより出力する。
【００１０】
また、本発明の出力方法は、装置を構成する部品の図と該部品のデータのファイル名とからなる、装置を構成する部品の一覧表を作成する一覧表作成工程と、前記一覧表作成工程により作成された一覧表を出力する出力工程とを備える。
【００１１】
また、本発明の出力方法は、装置を構成する部品の図のデータと、該データのファイル名のデータとを記憶手段から取得する取得工程と、前記取得工程において取得した部品の図のデータとファイル名のデータとにより、該部品の図とファイル名とを画面に表示する表示工程と、前記表示された図とファイル名とを、画像データとして取り込む取り込み工程と、前記取り込まれた画像データに基づいて、部品の図とファイル名とからなる、装置を構成する部品の一覧表を作成する一覧表作成工程と、前記一覧表作成工程において作成された一覧表を出力する出力工程とを備える。
【００１２】
また、本発明の出力方法は、前記出力工程は、前記一覧表を画面に表示することにより出力する。
【００１３】
また、本発明の出力方法は、前記出力工程は、前記一覧表を紙に印刷することにより出力する。
【００１４】
また、本発明の出力プログラムは、コンピュータを、装置を構成する部品の図と該部品のデータのファイル名とからなる、装置を構成する部品の一覧表を作成する一覧表作成手段、及び、前記一覧表作成手段により作成された一覧表を出力する出力手段として機能させる。
【００１５】
また、本発明の出力プログラムは、コンピュータを、装置を構成する部品の図のデータと、該データのファイル名のデータとを記憶手段から取得する取得手段、前記取得手段が取得した部品の図のデータとファイル名のデータとにより、該部品の図とファイル名とを画面に表示する表示手段、前記表示された図とファイル名とを、画像データとして取り込む取り込み手段、前記取り込まれた画像データに基づいて、部品の図とファイル名とからなる、装置を構成する部品の一覧表を作成する一覧表作成手段、及び、前記一覧表作成手段により作成された一覧表を出力する出力手段として機能させる。
【００１６】
また、本発明の出力プログラムは、前記出力手段は、前記一覧表を画面に表示することにより出力する。
【００１７】
また、本発明の出力プログラムは、前記出力手段は、前記一覧表を紙に印刷することにより出力する。
【発明の効果】
【００１８】
本発明によれば、装置を構成する部品の図と、この部品のデータのファイル名とが一覧表として出力されるため、利用者は、装置を構成する部品のファイル名を容易に認識でき、装置を構成する部品のファイルに対して迅速にアクセスすることができる。例えば、利用者が装置の部品の図に対して修正処理を行う場合であっても、一覧表から、部品の形状に基づいてその部品のファイル名を直ちに認識することができ、部品のファイルへのアクセスを迅速に行えることとなり、部品の図の修正などを迅速に行うことができる。
【発明を実施するための最良の形態】
【００１９】
本発明の出力システムの一実施形態について、図面を参照して説明する。なお、以下に
説明する、本発明の出力システムの一実施形態の動作の説明は、本発明の出力方法及び出力プログラムの一実施形態の動作の説明を兼ねる。まず、本発明の出力システムの一実施形態の動作の概略について図１から図４を参照して説明する。図１、図３及び図４は、本発明の出力システムの一実施形態の動作の概略を示す概略図であり、図２は、本発明の出力システムの一実施形態の部品のファイルのツリー構造の概略図である。
【００２０】
図１は、ＣＡＤにより作成された装置の最終形状の図面の表示画面である。図１に示される画面は、例えば利用者が利用しているディスプレイなどに表示される。図１に示される装置は、複数の部品から構成されて形成される図である。また、図１に示される装置は、複数の部品を結合させた後、トリムの演算処理が行われている。図１に示される表示画面には、例えば装置の最終形状のファイル名、例えば「ＰＲＯＤＵＣＴ」が表示されるとしても良い。
【００２１】
次に、図１に示される装置を構成する各部品のデータのファイルについて説明する。図２は、前述のように、図１の画面に示される装置の部品のファイルのツリー構造を示す。図２に示されるように、図１に示される装置の最終形状を示す図は、ＰＲＯＤＵＣＴファイルとして格納されている。また、図２に示されるように、図１に示される装置のファイルは、複数のパートファイルで構成されている。
【００２２】
また、図１に示される装置は、ＲＥＦＥＲＥＮＣＥ、ＢＡＳＥ、ＣＹＬＩＮＤＥＲ、ＣＹＬＩＮＤＥＲ  ＢＡＳＥの各部品により構成されている。ＲＥＦＥＲＥＮＣＥとは、基準位置を示す図であり、ＣＹＬＩＮＤＥＲとは、筒状の形状を示す図であり、ＣＹＬＩＮＤＥＲ  ＢＡＳＥとは、ＣＹＬＩＮＤＥＲの土台となる図を示す。
【００２３】
よって、図２に示されるように、図１に示される装置のツリー構造には、ＰＲＯＤＵＣＴファイルに、ＲＥＦＥＲＥＮＣＥファイル、ＢＡＳＥファイル、ＣＹＬＩＮＤＥＲファイル、ＣＹＬＩＮＤＥＲ  ＢＡＳＥファイルが含められている構造となっている。また、図２に示されるツリー構造には、各部品を結合した後にトリム処理を行った図面のデータである、ＴＲＩＭファイルが含められている。なお、図２に示されるファイル名の後の括弧内は、各部品の種類の名称を示す。
【００２４】
次に、本発明の出力システムの一実施形態により出力される一覧表について図３を参照して説明する。本発明の出力システムの一実施形態は、図３に示されるように、各部品の図とファイル名とを一覧表で画面に表示する。ここで、一覧表とは、部品の図とファイル名とが一体となったものが、画面に複数表示されることをいう。図３では、ＲＥＦＥＲＥＮＣＥ、ＢＡＳＥ、ＣＹＬＩＮＤＥＲ、ＣＹＬＩＮＤＥＲ  ＢＡＳＥ、ＴＲＩＭの各図がファイル名と共に表示されている。図３に示される画面は、ディスプレイに表示されることにより利用者に確認可能である。ただし、本発明の出力システムの一実施形態では、図３に示される画面と同様の図が、紙などの媒体に出力されて利用者に確認可能であっても良い。そして、利用者は、図３に示される画面を確認することにより、図４に示されるように、例えば変更したい部品のファイル名を確認することができる。なお、本実施形態では、２つの曲面間を滑らかにつなぐ曲面を生成するフィレット処理として、前述のようにトリムを採用している。
【００２５】
次に、本発明の出力システムの一実施形態の構成について図５を参照して説明する。図５は、本発明の出力システムの一実施形態の内部構成のブロック図である。なお、図５に示される各部の機能の少なくとも一部が、コンピュータ上において、プログラムとＣＰＵとが協働することにより実現されるとしても良い。
【００２６】
図５に示されるように、本発明の出力システムの一実施形態は、利用者に選択された装
置のＣＡＤのデータを取得するデータ取得部５０１を備える。なお、データ取得部５０１がＣＡＤのデータを記憶部５０８から取得するとは、記憶部５０８に記憶されているデータから必要なデータを、ＣＡＤ上に開くことをいう。
【００２７】
また、本発明の出力システムの一実施形態は、データ取得部５０１が取得したデータの中から、装置を構成する部品のデータを選択する選択部５０２を備える。すなわち、選択部５０２は、データ取得部５０１が取得したデータの中から、装置を構成する部品のデータを識別し、後述する表示部５０３に送信する。また、本発明の出力システムの一実施形態は、選択部５０２が取得したデータを画面に表示させる表示部５０３を備える。すなわち、この表示部５０３は、選択部５０２が選択した装置を構成する部品の図を画面に表示させる。よって、画面に表示される画像は、選択部５０２が選択した装置を構成する部品の１つと、この部品のＣＡＤデータのファイル名である。
【００２８】
また、本発明の出力システムの一実施形態は、画面に表示されている画像データをキャプチャし、このキャプチャした画像データを記憶部５０８に記憶するキャプチャ部５０４を備える。ここで、キャプチャ部５０４によりキャプチャされる画像には、部品の図と共にファイル名を含む。キャプチャとは、現在、画面に表示されている画像をデータにすることをいう。
【００２９】
また本発明の出力システムの一実施形態は、選択部５０２が選択したデータが装置を構成する部品の最後の部品のデータか否かを判断する判断部５０５を備える。また、本発明の出力システムの一実施形態は、選択部５０２が選択したデータが装置を構成する部品の最後の部品のデータであると判断部５０５が判断した場合に、記憶部５０８に保存されているキャプチャ部５０４により取得されたデータに基づいて部品の構成の一覧表を生成する一覧表作成部５０６を備える。
【００３０】
ここで、一覧表作成部５０６の動作についてさらに説明する。一覧表作成部５０６は、記憶部５０８に記憶されている装置を構成する部品の画像データを取得し、これらのデータを一覧表の画像データとする。具体的には、一覧表作成部５０６は、記憶部５０８から取得した装置を構成する部品の画像データを、所定のファイルに貼り付けて一覧表の画像データを作成する。そして、一覧表作成部５０６は、作成された一覧表のデータを記憶部５０８に記憶させる。
【００３１】
また、本発明の出力システムの一実施形態は、一覧表作成部５０６により作成され、記憶部５０８に記憶されている一覧表の画像データを出力する出力部５０７を備える。この出力部５０７は、一覧表の画像データをディスプレイなどの画面に表示するとしても良いし、紙などの媒体に印刷して出力するとしても良い。
【００３２】
また、本発明の出力システムの一実施形態は、ＣＡＤにより作成された装置の各部品の画像データをファイルとして記憶すると共に、キャプチャ部５０４によりキャプチャされた画像データを記憶する記憶部５０８を備える。
【００３３】
（フローチャートを用いた動作説明）
次に、本発明の出力システムの一実施形態の動作について図５及び図６を参照して説明する。図６は、本発明の出力システムの一実施形態の動作のフローチャートである。図６に示されるように、まず、データ取得部５０１は、記憶部５０８に記憶されているデータから、利用者により選択された装置について、この装置に関するＣＡＤにより作成されたデータを取得する（Ｓ６０１）。ここで、表示部５０３は、データ取得部５０１が取得したデータのうち装置の図面の画像をファイル名と共にディスプレイに表示するとしても良い。
【００３４】
Ｓ６０１において、データ取得部５０１に取得されるデータには、装置の図面のデータ、装置のデータのファイル名、この装置を構成する部品の図面のデータ、この部品のデータのファイル名である。そして、選択部５０２は、データ取得部５０１が取得したデータの中から装置を構成する部品のデータを１つ選択する（Ｓ６０２）。
【００３５】
そして、表示部５０３は、選択部５０２により選択されたデータを画面に表示させる（Ｓ６０３）。ここで、画面には、部品の画像とこの部品のＣＡＤデータのファイル名とが表示されている。
【００３６】
次に、キャプチャ部５０４は、画面に表示された画像をキャプチャし、取得された画面のデータを記憶部５０８に保存する（Ｓ６０４）。ここで、キャプチャ部５０４によりキャプチャされた画像には、部品の画像とファイル名の画像とが含まれている。
【００３７】
そして、判断部５０５は、選択部５０２により選択されたデータが装置を構成する部品の最後の部品のデータであるか否かを判断し、最後のデータでなければ（ＮＯ）、Ｓ６０２に移行し、最後のデータであれば（ＹＥＳ）、その判断結果を一覧表作成部５０６に出力する（Ｓ６０５）。一覧表作成部５０６は、記憶部５０８に保存されている各部品の図の画像データから、一覧表を生成して、出力部５０７に出力する。この一覧表には、装置を構成する各部品の図と、この部品のＣＡＤデータのファイルのファイル名とが含まれている。
【００３８】
そして、出力部５０７は、一覧表作成部５０６から受信した一覧表を出力する。ここで、出力部５０７による一覧表の出力は、例えば画面に一覧表の画像を表示する出力であったり、一覧表を紙などの媒体に印刷する出力であって良い。一覧表を紙などの媒体に印刷する場合、出力部５０７には、プリンタを用いることができる。ここで、例えば出力部５０７により出力される一覧表の画面の一例は、例えば図３に示されるような画面である。出力部５０７が一覧表を紙などの媒体に印刷する場合は、図３に示される画面と同様の図が、紙などの媒体に印刷される。
【００３９】
以上のように、本発明の出力システムの一実施形態によれば、装置を構成する各部品の図とファイル名とを一覧表にして、画面に出力したり、紙に印刷して出力するため、利用者は、部品の形状とその部品のファイル名とを一致して認識することができ、装置を構成する部品のファイル名を簡単に見つけることができる。その結果、利用者は、修正などの対象となる部品のファイルに対して短時間でアクセスすることができる。
【００４０】
また、本発明の出力システムの一実施形態によれば、装置を構成する各部品の図とファイル名とを一覧表にして、画面に出力したり、紙などの媒体に印刷して出力するため、装置を設計した設計者以外の者に装置の作図などの仕事を引き継ぐ場合、引継者が装置の構成について理解することが容易になる。
【００４１】
また、本発明の出力システムの一実施形態は、装置を構成する各部品の図とファイル名とを一覧表にして、画面に出力したり、紙などの媒体に印刷して出力するため、利用者が、装置の構成について検討したり部品構造の理解をする場合の教育資料として用いることができる。
【００４２】
また、本発明の出力システムの一実施形態は、装置を構成する各部品の図とファイル名とを一覧表にして、画面に出力するため、修正などの対象となっている部品の図面のみを画面に表示させることができ、装置全体の図面のデータであるＰＲＯＤＵＣＴファイルを開く必要がなくなるため、コンピュータにおける画像を表示するための負担を軽減させる
ことができる。
【００４３】
さらに、本発明の出力システムの一実施形態は、装置を構成する各部品の図とファイル名とを一覧表にして、画面に出力したり、紙などの媒体に印刷して出力するため、装置が、図の作成者以外の第三者にとって理解しやすい部品構成で作成されているのかを確認することができ、その理解のし易さから、装置の部品に対する修正時間の見積もりや、装置の図のデータの再利用の可能性を確認することができる。
【図面の簡単な説明】
【００４４】
【図１】本発明の出力システムの一実施形態の動作の概略を示す概略図である。
【図２】本発明の出力システムの一実施形態の部品のファイルのツリー構造の概略図である。
【図３】本発明の出力システムの一実施形態の動作の概略を示す概略図である。
【図４】本発明の出力システムの一実施形態の動作の概略を示す概略図である。
【図５】本発明の出力システムの一実施形態の内部構成のブロック図である。
【図６】本発明の出力システムの一実施形態の動作のフローチャートである。
【符号の説明】
【００４５】
５０１  データ取得部（取得手段）
５０２  選択部
５０３  表示部（表示手段）
５０４  キャプチャ部(取り込み手段）
５０５  判断部
５０６  一覧表作成部（一覧表作成手段）
５０７  出力部（出力手段）
５０８  記憶部（記憶手段）
【図１】
2007157012.tif 000003
【図２】
2007157012.tif 000004
【図３】
2007157012.tif 000005
【図４】
2007157012.tif 000006
【図５】
2007157012.tif 000007
【図６】
2007157012.tif 000008